(57)【特許請求の範囲】
【請求項１】
フレームと、
シート状ストック材料の供給部を支持するために前記フレームに連結された供給支持部と、
各展開軸周りに回転するために前記フレームに回転可能に連結された一対の展開部材と、
を備え、
前記一対の展開部材は、その間にシート状ストック材料を把持するように離れて間隔が空けられ、
前記展開部材は、それぞれ、各展開部材の対向する端間で、前記各展開軸に沿って交互に分布された、複数の凹部及び外部を有し、
第１の展開部材の複数の外部のうちの少なくとも一部は、第２の展開部材の複数の外部のうちの少なくとも一部と、合っており、前記各展開部材の対向する外部間で前記シート状ストック材料を把持し、
前記第１の展開部材の複数の凹部は、前記展開軸に沿って、前記第２の展開部材の複数の外部のそれぞれと、交互に軸方向に合っており、
前記第１の展開部材の凹部は、前記展開軸に沿って、前記第２の展開部材の複数の凹部のいずれにも軸方向に重なっていない、
荷敷変換機械。
【請求項２】
請求項１記載の荷敷変換機械であって、
前記複数の凹部は、前記各展開部材のそれぞれの周りに完全に円周方向に延びており、それにより凹状のリングを決め、
前記展開部材のそれぞれの複数の凹部は、前記展開軸のそれぞれに沿って相互に、等しく軸方向に間隔が空けられ、前記複数の外部のそれぞれによって分離されている、
荷敷変換機械。
【請求項３】
請求項１又は２記載の荷敷変換機械であって、
前記展開部材の複数の外部は、対向する前記展開部材の各外部に係合している、
荷敷変換機械。
【請求項４】
請求項１乃至３のうちのいずれか１項記載の荷敷変換機械であって、
対向する前記展開部材の複数の外部のうちの一部のみが、相互に係合し、前記対向する展開部材の複数の外部のうちの残りが、それぞれ、相互に係合しないように位置している、
荷敷変換機械。
【請求項５】
請求項４記載の荷敷変換機械であって、
前記対向する展開部材の対向する軸端に隣接して配置された前記複数の外部のいくつかは、相互に係合しており、
前記各展開軸に沿って前記対向する軸端から間隔を空けて、軸方向に中心に配置された複数の外部のいくつかは、相互に係合していない、
荷敷変換機械。
【請求項６】
請求項１乃至５のうちのいずれか１項記載の荷敷変換機械であって、
前記展開部材のうちの少なくとも一方は、バイアス要素を介して、前記展開部材のうちの他方に向けて偏っている、
荷敷変換機械。
【請求項７】
請求項１乃至６のうちのいずれか１項記載の荷敷変換機械であって、
複数のスリットを有するシート状ストック材料が、供給部と組み合わせて、送り方向に印加される張力下で、広がるように構成されている、
荷敷変換機械。
【請求項８】
請求項１乃至７のうちいずれか１項記載の荷敷変換機械であって、
前記第１の展開部材の複数の外部は、前記第２の展開部材の複数の凹部とからみ合わされ、
前記第１の展開部材の複数の外部は、径方向外側へ延び、前記第２の展開部材の複数の凹部で受けられている、
荷敷変換機械。
【請求項９】
フレームと、
シート状ストック材料の供給部を支持するために前記フレームに連結された供給支持部と、
対向する軸端間に延びる前記供給支持部の下流の一対の対向する展開部材と、
を備え、
前記展開部材は、対向する軸周りに回転するために、前記フレームに回転可能に連結され、
前記展開部材間で、シート状ストック材料は、前記シート状ストック材料の供給部から引き出され、
前記展開部材のうちの少なくとも一方を前記展開部材の他方に向けて偏らせ、一定の把持力を前記展開部材間の前記シート状材料上で維持するために、前記展開部材のうちの少なくとも一方に連結されたバイアス要素を備え、
前記展開部材は、それぞれ、各展開部材の対向する端間で、前記各展開軸に沿って交互に分布された、複数の凹部及び外部を有し、
前記対向する展開部材の対向する軸端に隣接して配置された前記複数の外部のいくつかは、相互に係合しており、前記各展開軸に沿って前記対向する軸端から間隔を空けて、軸方向に中心に配置された複数の外部のいくつかは、相互に係合していない、それにより、前記一対の対向する展開部材およびバイアス要素は、等しい力を、前記対向する展開部材間で引き出されたシート状ストック材料上の、前記展開部材の対向する軸端で、供給し、不均一な力を、前記展開部材の軸端間に延びるシート状ストック材料の幅を横切って供給する、ように構成されている、
荷敷変換機械。
【請求項１０】
請求項９記載の荷敷変換機械であって、
前記バイアス要素およびフレームに連結された調整部材を更に有し、
前記バイアス要素の偏り力は調整される、
荷敷変換機械。
【請求項１１】
請求項９又は１０に記載の荷敷変換機械であって、
前記展開部材のうちの少なくも一方に連結された別のバイアス要素を更に有し、
前記バイアス要素および前記別のバイアス要素は、前記展開部材のうちの少なくとも一方の対向する軸端に、対向して配置されている、
荷敷変換機械。
【発明の詳細な説明】
【技術分野】
【０００１】
本発明は、一般的に、荷敷変換システム、及び、シート状のストック材料を荷敷の製品に変換するための方法、特に、荷敷変換システム、及び、プレスリットシート状のストック材料に関する。
【背景技術】
【０００２】
１又はそれ以上の物品を、一方の場所から他方の場所へ送る工程において、荷作り者は、典型的に、発送される単数又は複数の物品と共に、いくつかのタイプの荷敷材料を段ボール箱のような発送容器に配置する。荷敷材料は、典型的には、物品を包むために、あるいは、部分的に又は完全に容器内の物品周りの空のスペース又は空隙容量を埋めるために用いられる。空隙容量を埋めることによって、荷敷は、発送工程で損傷を与える物品の移動を、防止あるいは最小化する。荷敷は、ブロック、ブレース、又は、緩衝する機能を発揮することもできる。いくつかの共通で使用される荷敷材料は、発泡プラスチックピーナッツ、プラスチックバブルパック、及び変換された紙の荷敷材料である。
【０００３】
大部分のプラスチックの荷敷製品と異なり、変換された紙包装材料は、環境に優しい包装材料であり、再生及び生物分解が可能であり、再生可能な資源からなる。展開可能なスリットシート状の紙包装材料は、物品を包むための緩衝材料として、または、荷作りのため空間を埋める材料として、有用である。用語、展開は、ここで使用されるように、３次元の展開又は体積の展開を指す。材料は、長さ及び厚さにおいて拡大し、幅において減少し、体積において約２０倍の増加及び密度において同様の減少を生む。スリットシート状の紙がそのスリット縦の方向を横切る方向に延ばされると、その紙は変形し、長さ及び厚さが増加する。スリットシート状の紙包装材料の延び及び厚さの増加は、展開として述べられている。スリットシート状の包装材料及びその製造は、米国特許５６６７８７１及び５６８８５７８に説明されており、その開示を全てここに取り込む。
【先行技術文献】
【特許文献】
【０００４】
【特許文献１】米国特許５６６７８７１号
【特許文献２】米国特許５６８８５７８号
【発明の概要】
【発明が解決しようとする課題】
【０００５】
多くの荷敷変換機械が適切な荷敷製品を生成している間、存在している荷敷変換機械及び荷敷製品は、全適用に対して理想的でないかもしれない。本発明は、コンパクトで装填し易く、プレスリットの展開可能なシート状ストック材料を用いてる荷敷変換機械を提供し、前の変換機械よりも少ないシート状ストック材料を用いて、展開した荷敷製品を分配する。変換機械は、改良された展開組立体を有し、展開組立体は、一定の把持力をスリットシート状材料に印加し、その結果、展開しているスリットシート状ストック材料は、展開中に、一貫して張力が与えられる。この一貫した張力は、スリットシート状ストック材料の切れ及びバンチングを低減し、均一に展開した荷敷製品を生成する。
【０００６】
展開可能なシート状ストック材料は、スリットシート状ストック材料であり、一般に、プレスリットのシート状ストック材料であり、多くの横に延びる列のスリットを有している。列は、相互に縦方向に間隔が空けられている。各列は、列を横切って、断続的に分散した複数のスリットを有している。各列のスリットは、典型的に、隣接する列のスリットに対して互い違いの関係で配列されている。
【課題を解決するための手段】
【０００７】
本発明による一例の荷敷変換機械は、フレームと、展開可能なシート状ストック材料の供給部を支持するためにフレームに連結された供給支持部と、各軸周りに回転するためにフレームに回転可能に連結された一対の対向する展開部材と、を有している。展開可能なシート状ストック材料は、展開部材から引き出されるとき、展開部材間で把持される。展開部材の下流の引張力と、展開部材の把持力との間で供給される張力によって、展開可能なシート状ストック材料が展開する。展開部材は、展開可能なシート状ストック材料を均一に展開し、展開部材間の展開するシート状ストック材料のつまり、又は、展開部材に隣接する展開するシート状ストック材料の切れ、を低減もしくは防止するために、周期的にくぼんでいる。
【０００８】
本発明は、フレームと、シート状ストック材料の供給部を支持するためにフレームに連結された供給支持部と、各軸周りに回転するためにフレームに回転可能に連結された一対の展開部材と、を有する荷敷変換機械を提供する。展開部材は、その間にシート状ストック材料を把持するために間隔が空けられている。展開部材は、それぞれ、各展開部材の対向する端間で、各展開軸に沿って交互に分布された、複数の凹部及び外部を有している。第１の展開部材の複数の外部のうちの少なくとも一部は、第２の展開部材の複数の外部のうちの少なくとも一部と、合っており、各展開部材の対向する外部間でシート状ストック材料を把持する。
【０００９】
複数の凹部は、各展開部材のそれぞれの周りに完全に円周方向に延びており、それにより凹状のリングを決めてもよい。
【００１０】
展開部材のそれぞれの複数の凹部は、展開軸のそれぞれに沿って相互に、等しく軸方向に間隔が空けられ、複数の外部のそれぞれによって分離されていてもよい。
【００１１】
第１の展開部材の複数の凹部は、展開軸に沿って、第２の展開部材の複数の凹部のそれぞれと、軸方向に合っていてもよい。
【００１２】
第１の展開部材の複数の凹部は、展開軸に沿って、第２の展開部材の複数の凹部から、軸方向にオフセットしていてもよく、第１の展開部材の複数の凹部は、第２の展開部材の複数の外部のそれぞれと、軸方向で重なっていてもよい。
【００１３】
第１の展開部材の複数の凹部は、展開軸に沿って、第２の展開部材の複数の外部のそれぞれと、交互に軸方向に合っていてもよい。
【００１４】
第１の展開部材の凹部は、展開軸に沿って、第２の展開部材の複数の凹部のいずれにも軸方向に重なっていなくてもよい。
【００１５】
展開部材の複数の外部は、対向する展開部材の各外部に係合していてもよい。
【００１６】
対向する展開部材の複数の外部のうちの一部のみが、相互に係合し、対向する展開部材の複数の外部のうちの残りが、それぞれ、相互に係合しないように位置していてもよい。
【００１７】
対向する展開部材の対向する軸端に隣接して配置された複数の外部のいくつかは、相互に係合しており、各展開軸に沿って対向する軸端から間隔を空けて、軸方向に中心に配置された複数の外部のいくつかは、相互に係合していない。
【００１８】
展開部材のうちの少なくとも一方は、バイアス要素を介して、展開部材のうちの他方に向けて偏っていてもよい。
【００１９】
荷敷変換機械は、複数のスリットを有するシート状ストック材料の供給部と組み合わせて提供され、送り方向に印加される張力下で、広がるように構成されていてもよい。
【００２０】
シート状ストック材料の供給部は、荷敷変換機械と組み合わせて供給され、複数の、横に延び、縦に間隔が空けられた列で配列された複数のスリットを有していてもよい。
【００２１】
荷敷変換機械は、分離シート状材料の供給部を支持するための第２の供給支持部を更に有し、第２の供給支持部上の分離シート状材料の供給部と組んでいてもよい。
【００２２】
第１の展開部材の複数の外部は、第２の展開部材の複数の凹部とからみ合わされてもよく、第１の展開部材の複数の外部は、径方向外側へ延び、第２の展開部材の複数の凹部で受けられていてもよい。
【００２３】
展開軸は、一般に、相互に平行であってもよい。
【００２４】
本発明は、フレームと、シート状ストック材料の供給部を支持するためにフレームに連結された供給支持部と、対向する軸端間を延びる供給支持部の下流の一対の対向する展開部材と、を有する荷敷変換機械を提供する。展開部材は、対向する各軸周りに回転するために、フレームに回転可能に連結されている。シート状ストック材料は、展開部材間で、シート状ストック材料の供給部から引き出される。バイアス要素は、展開部材のうちの少なくとも一方に連結され、展開部材のうちの少なくとも一方を、展開部材の他方に向けて偏らせ、一定の把持力を展開部材間のシート状材料上で維持する。一対の対向する展開部材およびバイアス要素は、等しい力を、対向する展開部材間で引き出されたシート状ストック材料上の、展開部材の対向する軸端で、供給し、不均一な力を、展開部材の軸端間に延びるシート状ストック材料の幅を横切って供給するように構成されている。
【００２５】
荷敷変換機械は、バイアス要素およびフレームに連結された調整部材を更に有していてもよく、バイアス要素の偏り力は調整されてもよい。
【００２６】
荷敷変換機械は、展開部材のうちの少なくも一方に連結された別のバイアス要素を更に有し、バイアス要素および別のバイアス要素は、展開部材のうちの少なくとも一方の対向する軸端に、対向して配置されている。
【００２７】
本発明は、展開したスリットシート状材料を分配する方法を提供する。フレームと、フレームに連結された供給支持部上に支持された展開可能なシート状ストック材料の供給部と、展開部材を通るシート状ストック材料を把持するための、供給支持部の下流の一対の対向する展開部材と、を有する荷敷変換システムを用いる。方法は、（ａ）システムから外側方向へ、システムの出力に隣接する位置で、シート状ストック材料を引っ張るステップと、（ｂ）展開部材間で引き出されたシート状ストック材料上に一定の把持力を維持するステップと、（ｃ）出力での引張力と展開部材によってシート状ストック材料に印加された把持力との間の張力を介して、展開可能なシート状ストック材料を展開するステップと、を含む。
【００２８】
本発明は、フレームと、フレームに連結され展開可能なシート状ストック材料の供給部を支持するためにフレームに連結された支持手段と、を有する荷敷変換機械を提供する。荷敷変換機械は、シート状ストック材料が供給部から引き出されるとき、シート状ストック材料に一定の把持力を印加するための、供給支持部の下流の把持手段を備え、シート状ストック材料が把持手段と把持手段の下流の引張力との間で、張力がかけられたときに、把持手段は、シート状ストック材料の均一な展開を容易にする。本発明の上記及び他の特徴は、この後、十分に説明され、特に、請求項、本発明の詳細な実施形態における以下の説明及び図、において、強調される。これら実施形態は、いくつかの方法を示しており、本発明の原理が使用されている。
【図面の簡単な説明】
【００２９】
【図１】図１は、荷敷変換機械及びシート状のストック材料の両方を含む本発明に従った一例の荷敷変換システムの前方の直交図である。
【図２】図２は、図１の一例の荷敷変換システムの部分前方図であり、展開された荷敷製品がシステムから出力されていることを示している。
【図３】図３は、図１の一例の荷敷変換システムの側方直交図である。
【図４】図４は、図１に示す一例の荷敷変換システムの後方直交図である。
【図５】図５は、図１の一例の荷敷変換システムの偏った組立体の部分的な概略断面図であり、システムを介してストック材料の通路を示している。
【図６】図６は、図１に示す一例の荷敷変換機械とその機械から離れて示された供給物との前方直交図である。
【図７】図７は、図６に示す荷敷変換機械の前方図である。
【図８】図８は、図６に示す荷敷変換機械の後方直交図である。
【図９】図９は、図６に示す荷敷変換機械の後方図である。
【図１０】図１０は、図６に示す荷敷変換機械の上方図である。
【図１１】図１１は、図６に示す荷敷変換機械の側方図である。
【図１２】図１２は、図６に示す一例の荷敷変換機械の展開組立部の拡大部分側方図である。
【図１３】図１３は、図６の一例の荷敷変換機械の展開組立体の部分図である。
【図１４】図１４は、図６の一例の荷敷変換機械の他の展開組立体の部分図である。
【図１５】図１５は、図６の一例の荷敷変換機械の他の展開組立体の部分図である。
【図１６】図１６は、図６の一例の荷敷変換機械の他の展開組立体の部分図である。
【図１７】図１７は、図６の一例の荷敷変換機械の他の展開組立体の部分図である。
【図１８】図１８は、図６の一例の荷敷変換機械の他の展開組立体の部分図である。
【図１９】図１９は、図６の荷敷変換機械の展開組立体の偏った組立部分の部分図である。
【発明を実施するための形態】
【００３０】
本発明は、手動で、展開されていないスリットシート状の材料から展開されたスリットシート状の包装材料を生成するための改良された装置を提供し、より均一の展開で荷敷製品を生成し、その産出及び性能を向上させることを容易にする。
【００３１】
荷敷変換機械は、展開していないスリットシート状の材料の供給部を支持するための手段を有している。荷敷変換機械は、供給部から引き出されるとき、一定の把持力を、展開していないスリットシート状の材料に与えるために、供給支持部の下流に把持手段を有し、把持手段は、把持手段と把持手段の下流の引張力との間で引張力がかけられるので、そのシート状材料の均一な展開を容易にする。詳細な図を参照して、図１乃至１３は、荷敷機械又は装置１２と、シート状のストック材料の供給部１４と、の両方を有する一例の荷敷変換システム１０を示している。変換機械１２は、ここで、展開機械、荷敷展開機械、又は変換部として述べられ、操作者は、この変換機械１２によって供給部１４からより均一な展開した荷敷製品を生成することができる。
【００３２】
シート状のストック材料１６の供給部１４は、細長く切られ、典型的には１又はそれ以上の層を有するシート状のストック材料を有している。示されるように、シート状材料１６は、一般的に、１又はそれ以上のローラ３４で供給される。ローラのシート状材料１６は、各供給支持部２２に受けられた中空芯周りに巻かれてもよく、軸はその中空芯と共に回転し、シート状材料がローラから巻き解かれるときに、その軸周りで中空芯が回転する。他の実施形態において、シート状材料１６は、付加的にあるいは代わりに、材料が代わりに一般的に長方形のページの積重ねて折畳まれた折畳み積重ねのような、他の適切な配置で提供されてもよい。
【００３３】
一例のシート状材料１６は、クラフト紙のような紙、及び、特に単層のクラフト紙である。適したクラフト紙は、例えば、２０ポンドあるいは４０ポンドのような多様な重さを有していてもよい。いくつかの実施形態において、シート状材料１６は、ラミネートされてもよく、他の紙、プラスチックシート、金属箔あるいはその組合せなどの、いかなる他の適した材料を有していてもよい。
【００３４】
一例のシート状材料１６は、シートに切り込まれた、複数の、縦方向に間隔が空けられて、横方向に延びる列のスリットを有している。特に、複数のスリット４０を有する一例のシート状材料１６（図２及び６）は、変換機械１２を通り抜けるとき、送り方向へ展開するように構成されている。換言すると、スリットの上流側に隣接するシート材料は、スリットの下流側に隣接するシート材料から離されいる。スリットは、シート状材料を切ることにより、あるいは、シート状材料が、前進方向に供給された縦の張力下でスリットを横断的に分離するように、断続的に、シート状材料を横断的に弱くすることで、形成されてもよい。示された実施形態において、スリット４０は、シート状材料１６を通して切られ、側端３２間のシート状材料１６の幅に渡って横方向に延びている。横方向は、変換機械１２を通して、材料１６の縦の送り方向に横切っている。本発明による変換機械１２は、スリットの異なる配列を有するシート状ストック材料の供給部１４で使用されてもよい。
【００３５】
典型的には、スリット４０は、一般的に相互に平行で周期的であり、典型的には相互に等しく間隔が空けられた、縦に空間のある横列のような列で設けられている。他の実施形態において、列は、相互に関して、適切に配列されてもよい。スリット４０は、断続的に、列を横切って分散されており、各列のスリット４０は、一般に、直接隣接する列のスリット４０に関して互い違いになっている。スリット４０の各列を横切って、スリットシート状材料１６の展開の最適量となる、スリット端点間に配置された単一スリット部４８（図２及び６）の長さよりも長い組合せスリット４０が存在してもよい。
【００３６】
一例のスリットシート状材料１６は、１又はそれ以上の次元で広がるように構成されており、ここで、体積膨張又は容積膨張として述べられている。シート状材料１６がスリットを横切る方向に延びている場合、典型的には、縦の送り方向で、シート状材料１６のローラの幅に平行で、紙の横幅寸法が減少しつつ、紙の縦長さ及び厚さが増加する。シート状材料１６が縦に延ばされるので、展開していないシート状材料１６の面に関して回転するスリットの列間で、少なくとも一部でシート状材料１６の部分を介して、増加する厚さの原因となる。厚さ寸法は、シート状材料の面に関して通常方向で拡張する。通常方向は、一般に、紙の縦長さに直角で、かつ、シート状材料の横端３２（図２）間の横範囲に直角で、定義されている。
【００３７】
スリットシート状材料１６の厚さは、この方法で延ばされたとき、元の厚さに関して、その大きさあるいはそれより以上の程度で増加することができる。展開したスリットシート状材料１６は、展開していないスリットシート状材料１６と比較して、増加した長さ及び厚さと、減少した幅を有している。さらに説明される紙の任意のしわに加えて、この縦の延び及び厚さの増加が、体積的に展開した荷敷製品３０（図２）を生む。増加した体積によって、展開した荷敷製品３０は、コンテナ内で、穴の開いた保護的な空隙充填または包装物品の緩衝する包装として役に立つ。
【００３８】
特に図５を参照すると、変換機械１２は一般に、フレーム２０のような箱体を有している。１又はそれ以上の供給支持部２２のような、シート状材料を支持するための１又はそれ以上の手段が箱体２０に連結されている。シート状材料を把持する手段は、１又はそれ以上の供給支持部２２から引き出されるので、展開組立体２４を有している。展開組立体２４は、１又はそれ以上の供給支持部２２の下流で間隔が空けられている。ここで使用されるように、連結は直接的あるいは間接的に連結することを指してもよい。案内ローラ２６のような１又はそれ以上の案内部材は、さらに、展開組立体２４の下流に配置され、シート状材料を、変換機械１２の出力領域２８で案内をする。変換機械１２は、スリットストック材料１６の供給部１４と協働し、結果として生じる展開したスリットシート状の包装材料３０、例えば、展開した荷敷製品３０を生成する。
【００３９】
展開していないスリットシート状材料１６は、展開可能な材料供給部１４から、下流方向３８に、展開組立体２４を介して、変換機械の出力領域２８に向けて、送られる。展開していないスリットシート状材料１６は、展開組立体２４と協働し、展開していない（及び展開可能な）材料１６を延ばし広げる。延ばされたとき、スリット４０（図２）は、広がり、単一スリット部４８の少なくとも一部は、材料の一般的な面となる。説明したように、材料は、縦方向に厚さ及び長さにおいて広がり、展開していないスリットシート状材料１６は、結果として生じる展開した形のスリットシート状包装材料３０へ変換される。シート状材料１６は、出力領域２８において展開した材料３０上で手動により作業者の把持及び引出しのような、手動で変換機械１２を介して引き出されてもよい。他の実施形態において、シート状材料１６の少なくとも一部は、自動的に、変換機械１２を介して引き出されてもよい。例えば、電動駆動のローラは、展開組立体２４の下流の出力領域２８に隣接するように、設けられてもよい。
【００４０】
変換機械１２は、図６乃至１１に、シート状ストック材料１６の供給部１４（図１）が変換機械１２から離され、変換機械１２の要素の説明を容易にして、示されている。フレーム２０は、単一の一体構造でもよく、分離した要素から形成されてもよいが、典型的には、供給支持部２２と出力領域２８との間のシート状材料の通路を囲っている。記載されたように、フレーム２０は、相互に横に離れた対向する垂直方向に延びるフレーム側部２１を有している。図８に最良として示すように、フレーム側部２１は、土台部（示されていない）を介して、あるいは、１又はそれ以上の横断ビーム１９を介して相互に連結されていてもよい。
【００４１】
フレーム２０及び変換機械１２は、上流端６０と下流端６２との間で延びており、下流端６２は、出力領域２８に隣接している。したがって、下流方向３８（図５）は、一般に、上流端６０から下流端６２に向いた方向であり、スリットシート状材料１６（図１）の通路を参照して、シート状材料１６は、変換機械１２を介して下流方向３８に、供給支持部２２から、展開組立体２４を介して、出力領域２８に向けて、移動する。
【００４２】
供給支持部２２は、回転可能にフレーム２０に連結され、展開していないスリットシート状ストック材料１６の供給部１４を支持するように、連結されている。他の実施形態において、供給支持部２２は、フレーム２０に固定して連結されていてもよく、供給部１４は、供給支持部２２周りに回転してもよい。示すように、供給支持部は、変換機械１２の上流端６０及び下流端６２との間に延びる対向するフレーム側部２１間を延びる軸であってもよい。軸は、供給支持部の軸周りに回転し、シート状材料は、ロール３４から引き出されると、シート状ストック材料のロール３４は、供給支持部の軸あるいは供給支持部の軸近傍の軸周りに回転する。
【００４３】
フレーム側部２１は、切欠きのような、くぼみ６６を有し、ロッド状の供給支持部２２を受ける。記載されたロッド状の支持部２２は、くぼみ６６内に、はまるように、連結されている。他の実施形態において、供給支持部２２は、ボルトやふたをかぶせた端などのように、適切に連結されてもよい。フレーム側部２１及び特にくぼみ６６の領域は、フレーム２０と供給支持部２２との間の摩擦を低減するために、被覆されていもてよい。付加的に、あるいは、代わりに、供給支持部２２は、被覆のようなものを含んでいてもよい。
【００４４】
供給部が折畳み積重ねた紙である他の実施形態において、供給支持部は、棚から引き出されたときに積重なる紙を支持するための棚を有していてもよい。棚は、フレーム側部２１と協働し、積重なる紙を支持し、紙をその積重ねから展開組立体２４に向けて案内してもよい。案内ブロック６８のような、１又はそれ以上の付加的な案内部は、フレーム２０に取り付けられ、又はフレーム２０と一体で設けれてもよく、フレーム側部２１間でシート状材料を合せ、案内する。記載されているように、一例の案内ブロック６８は、シート状材料１６の供給部１４に隣接して設けられている（図５）。示すように、一対の対向する案内ブロック６８は、ボルトを介して各フレーム側部２１に取付けられ、軸方向で内側へ相互に向けて、延びている。案内ブロック６８は、他の実施形態において、溶接、接着、切欠き、キーなどの、いかなる他の適切な方法を介して取り付けられてもよい。
【００４５】
案内ブロック６８は、いかなる適した形状であってもよい。記載された一対の案内ブロック６８は、シート状のストック材料１６のロール３４に係合するように位置している。案内ブロック６８は、一般に、展開組立体２４の上流に位置しており、フレーム側部２１間のシート状材料のロール３４の横の中心合せする場合に補助する。この中心合せは、供給部１４と展開組立体２４との間でシート状材料の妨害を防止する場合に補助する。案内ブロック６８は、付加的にあるいは代わりに、供給支持部２２とフレーム側部２１との間の拘束を防止あるいは最小化することを補助してもよい。
【００４６】
ロール３４から引き出されたシート状材料１６を把持する手段は、展開組立体２４を有していてもよく、特に、展開組立体２４の展開部材６９及び７０を有していてもよい。展開組立体２４は、供給支持部２２の下流に位置している。展開組立体２４は、回転可能にフレーム２０に連結され、各展開軸７２（図７）周りに回転するように、連結された、一対の隣接する展開部材６９及び７０を有している。シート状ストック材料１６は、展開組立体２４を介して引き出される際に、展開部材６９及び７０間で把持されている。
【００４７】
展開部材６９及び７０は、相互に協働し、把持力を展開部材６９及び７０間のシート状材料１６に与え、その間でシート状材料１６の通過を減速する。作業者が、シート状材料１６を縦の下流方向に引張ることで、シート状ストック材料１６に力を加える場合、この把持は、展開組立体２４と下流との間でシート状材料１６に印加される引張を大きくし、下流の送り方向３８に、変換機械１２の出力領域２８で印加された引張力を大きくする。
【００４８】
展開部材６９及び７０は、比較的薄い展開していないシート状材料１６に係合するように、接近して間隔が空けられている。展開部材６９及び７０の弾性に従がって、各展開部材６９及び７０の一部は、これら展開部材６９及び７０の部分間にスリットシート状材料１６がたとえ無くとも、他の展開部材６９及び７０に係合してもよい。展開部材６９及び７０の部分は、シート状材料１６の厚さの効率的な通過を許容するように、相互に僅かに離れていてもよく、しかし、これら部分は、相互に十分に接近し、適切な把持力をその間を通過するシート状ストック材料１６に印加してもよい。
【００４９】
１又はそれ以上の展開部材６９及び７０は、回転可能にあるいは固定されて連結されるように、フレーム２０に連結された展開軸７１上で支持されてもよい。軸７１は、各展開軸７２に沿って延びている。他の実施形態において、１又はそれ以上の展開部材６９及び７０と、関連する軸７１とは、相互に一体化されていてもよい。
【００５０】
展開軸７２は、一般に相互に平行に合わせられているが、軸７２は正確に平行でなくてもよい。記載された実施形態において、各展開軸７２は、他方の軸７２上に垂直に合わせられた一方の軸７２に合わせられており、軸７２は、フレーム２０の土台に直交する面内にある。他の実施形態において、軸７２の一方は、僅かに前側（下流）、あるいは、軸７２の他方の後ろ側（上流）にあってもよい。
【００５１】
展開部材６９及び７０は、ボルトなどのいかなる適切な手段を介してフレーム側部２１間でフレーム２０に連結されてもよい。代わりに、展開部材６９及び７０のうち一つだけが、回転可能であり、展開部材６９及び７０のうち一つあるいは両方が、モータなどを介して駆動されてもよい。展開部材６９及び７０は、フレーム２０に関して展開部材６９及び７０の回転に際し、補助し、あるいは、フレーム側部２１から展開部７０の横端に間隔を空けるために、いかなる適切なブッシュやベアリングを有していてもよい。他の実施形態において、付加的な又は代わりの展開部材６９及び７０は、フレーム側部２１間に十分に延びていなくてもよい。さらに、一対の展開部材６９及び７０が記載されているが、付加的な展開部材６９又は７０、複数対の展開部材６９及び７０が、含まれていてもよい。
【００５２】
再度、記載された展開部材６９及び７０と、特に、図１２及び１３を見ると、展開部材６９及び７０は、周期的に解放された円筒状のローラなどの、周期的に解放されたローラ（代わりに周期的に凹が形成されている）として記載されているが、展開部材６９及び７０は、他の実施形態において、いかなる他の適した形状であってもよい。展開部材６９及び７０は、それぞれ、複数の凹部８０と複数の外部８２を有しており、これら凹部８０及び外部８２は、交互に、各展開部材６９及び７０の横の対向する端部間の各展開軸７２（図７）に沿って配置されている。複数の外部８２は、複数の凹部８０よりも、径方向に外側へ延びている。
【００５３】
記載された展開部材６９及び７０は、凹部８０及び外部８２を有し、これら凹部８０及び外部８２は、各展開部材６９及び７０の夫々の周りに完全に円周方向に延びており、それにより、一連の凹状及び外側のリングを決める。記載されているように、リングは環状であり、各展開軸７２周りに同心で配置された面を有している。他の実施形態において、凹部８０及び外部８２は、楕円や、ギザギザ、あるいは、記載された直線の端よりも曲がった端、などの、他の適した形状を定義してもよい。いくつかの実施形態において、外部８２は、斜め、あるいは、円い端８４を有していてもよい。付加的にあるいは代わりに、凹部８０及び外部８２は、各展開部材６９及び７０周りに、部分的に円周方向に延びるだけでもよい。
【００５４】
各凹部８０は、外部８２の端で対向して円周方向へ延びる横側８６間で、各展開軸７２に沿って軸方向へ延びている。記載されているように、凹部８０は、各横側８６間を延びる、等しい軸方向の幅を有している。同様に、外部８２のそれぞれは、各横側８６間を延びる、等しい軸方向の幅を有している。凹部８０の軸方向の幅は、外部８２の軸方向の幅と異なる寸法を有していてもよく、外部８２は記載された実施形態において、より大きな軸方向の幅を有していてもよい。
【００５５】
したがって、展開部材６９及び７０の夫々の複数の凹部８０は、各外部８２によって、展開軸７２の各軸に沿って、相互に、等しく、軸方向に間隔が空けられている。同様に、展開部材６９及び７０の夫々の複数の外部８２は、各凹部８０によって、展開軸７２の各軸に沿って、相互に、等しく、軸方向に間隔が空けられている。他の実施形態において、凹部８０は、異なる軸方向の幅を有していてもよく、外部８２は、異なる軸方向の幅を有していてもよく、又は、凹部８０及び外部８２の軸方向の幅は、相互に等しく、あるいは、その組合せであってもよい。例えば、凹部８０及び外部８２の軸方向の幅は、各軸７２の横の長さに沿って変化してもよい。
【００５６】
記載された実施形態において、展開部材６９及び７０の夫々の複数の凹部８０は、各展開軸７２に沿って、展開部材６９及び７０のうちの他方の複数の凹部８０から、軸方向へオフセットしている。展開部材６９及び７０の夫々の複数の凹部８０は、各展開軸７２に沿って、展開部材６９及び７０のうちの他方の複数の外部８２のそれぞれと、交互に軸方向で合っている。展開部材６９及び７０の夫々の凹部８０の夫々は、展開部材６９及び７０のうちの他方の対応する外部８２と、軸方向で合っている。
【００５７】
このように、シート状ストック材料１６は、展開部材６９及び７０との間で、引き出されるので、シート状ストック材料１６は、展開部材６９及び７０のうちの一方の外部８２と、展開部材６９及び７０のうちの他方の対応する凹部８０と、の間で把持され得る。展開部材６９及び７０の外面、特に、外部８２の外面は、展開部材６９及び７０間でシート状材料１６を引き出すのに、シート状材料１６に関して十分な摩擦を提供する材料から成る。
【００５８】
さらに、図１２及び１３に示すように、展開部材６９及び７０の夫々の複数の外部８２は、展開部材６９及び７０のうちの他方の複数の外部８２と、からみ合わされている。この方法で、第１展開部材６９（上部）の複数の外部８２は、第２展開部材７０（下部）の複数の外部８２のそれぞれ間に延び、受けられており、逆も同一である。例えば、第１展開部材６９の外部８２の半径方向外側の範囲は、第２展開部材７０の外部８２の半径方向外側の範囲を超えて延びている。結果として、展開部材６９及び７０間で引き出されたシート状材料１６は、同様に、展開部材６９及び７０の夫々のからみ合わされた外部８２の、係合又はほとんど係合した横側８６間で、把持される。
【００５９】
図１４乃至１７は、変換機械１２を用いた代わりの展開部材を示している。これら代わりの実施形態において、他方の展開部材の凹部及び外部に対して、一方の展開部材の凹部及び外部を合せることは、図１２及び１３にで合わせる場合と比較して、異なっている。代わりの実施形態のいずれにおいても、第１展開部材６９は、第２展開部材７０（下部）と交換されてもよく、逆も同様である、ことを留意すべきである。例えば、図１４の実施形態において、展開部材６９及び７０の夫々の複数の外部８２は、展開部材６９及び７０の他方の複数の外部８２と、からみ合わされていないこと以外は、図１４の実施形態は、図１２及び１３の実施形態と類似している。展開部材６９及び７０の夫々の複数の外部８２は、展開部材６９及び７０の他方の複数の外部８２のそれぞれ間に延び、受けられていない。展開部材６９及び７０の夫々の複数の凹部８０は、各展開軸７２に沿って、展開部材６９及び７０の他方の複数の凹部８０から、軸方向にオフセットしている点で、図１５及び１６の実施形態は、図１２及び１３の実施形態と類似している。展開部材６９及び７０の夫々の複数の凹部８０は、各展開軸７２に沿って、展開部材６９及び７０の他方の複数の外部８２の夫々と、交互に軸方向に合っている点で、さらに、類似している。
【００６０】
図１５の実施形態において、展開部材６９及び７０の夫々の凹部８０は、それぞれ、展開部材６９及び７０の他方の、対応する凹部８０および対応する外部８２の両方に、軸方向で重なっている点で、図１５の実施形態は、図１２及び１３の実施形態と異なる。図１５において、各横側８６は、図１２及び１３のように、重なっていない。
【００６１】
図１６の実施形態において、展開部材６９及び７０の夫々の外部８２は、それぞれ、展開部材６９及び７０の他方の凹部８０の一つに、軸方向で重なり、展開部材６９及び７０の他方の一つの外部８２よりも多く軸方向に重なっている点で、図１６の実施形態は、図１２及び１３の実施形態と異なる。展開部材６９及び７０の夫々の複数の凹部８０は、展開部材６９及び７０の他方の複数の凹部８０のそれぞれに、軸方向で重なっていない。
【００６２】
図１７に示す代わりの配列で、展開部材６９及び７０の夫々の外部８２は、一般に、各展開軸７２に沿って、展開部材６９及び７０の他方の外部８２と、軸方向で合っている。同様に、展開部材６９及び７０の夫々の凹部８０は、一般的に、各展開軸７２に沿って、展開部材６９及び７０の他方の凹部８０と、軸方向で合っている。この方法で、第１展開部材６９（上部）は、第２展開部材７０（下部）を再現する。
【００６３】
さらに、図１７において、展開部材６９及び７０の複数の外部８２のうちの一部のみが、相互に係合してもよい。例えば、複数の外部８２のうちのいくつかの外部８２は、展開部材６９及び７０の対向する軸端に隣接して配置されており、相互に係合していてもよい。複数の外部８２のうちのいくつかの外部８２は、各展開軸７２に沿って軸方向に中心となって配置され、相互に係合していないが、代わりに、相互に間隔が空けられていてもよい。この方法で、一対の対向する展開部材６９及び７０は、対向する展開部材６９及び７０間で引き出されたシート状ストック材料上に、展開部材６９及び７０の対向する軸端で、等しい力、しかし、展開部材６９及び７０の軸端間に延びるシート状ストック材料の幅を横切る不均一な力、を供給するように構成されていてもよい。他の実施形態において、各展開部材６９及び７０の複数の外部８２のうちのいくつかの外部８２のそれぞれは、図１３に示すように、相互に係合している。
【００６４】
次に、図１８に示すように、一対の展開部材６９及び７０は、図１２及び１３のように、からみ合わされた外部８２を有していてもよい。付加的に、例の実施形態において、展開部材６９及び７０の対向する軸端に隣接して配置された、外部８２の端８４又は横側８６は、相互に係合していてもよい。しかし、各展開軸に沿って軸方向に中心となって配置された外部８２の端８４又は横側８６は、相互に係合していないが、代わりに、相互に間隔が空けられていてもよい。例えば、この係合していないことを実現するために、軸方向に中心となって配置された外部８２は、図１８に示す端８７のように、１又はそれ以上の、斜めあるいは面取りされた端を有していてもよい。付加的にあるいは代わりに、この係合していないことを実現するために、軸方向に中心となって配置された外部８２は、図１８に示す横端８８のように、１又はそれ以上の、相互から間隔が空けられた横端を有していてもよい。この方法で、図１７に示す一対の展開部材と類似して、一対の対向する展開部材６９及び７０は、対向する展開部材６９及び７０間で引き出されたシート状ストック材料上に、展開部材６９及び７０の対向する軸端で、等しい力、しかし、展開部材６９及び７０の軸端間に延びるシート状ストック材料の幅を横切る不均一な力、を供給するように構成されていてもよい。さらに、図１２乃至１８の実施形態のいずれかの特徴は、図１２乃至１８の他の実施形態のいずれかの特徴と組み合わされてもよい。一般的に、図１２乃至１８の実施形態を参照すると、凹部８０及び外部８２の代わりの構成は、一対の展開部材６９及び７０の係合していない部分を考慮する。これら係合していない部分は、展開部材６９及び７０間に間隔９０を定義する。図１２、１３及び１８の記載された実施形態において、間隔９０は、展開部材６９及び７０のうちの一方の、交互に軸方向に合った凹部８０と、展開部材６９及び７０のうちの他方の外部８２との間で定義される。図１４乃至１７の代わりに記載された実施形態において、間隔９０は、相互に関して、隣接する展開部材６９及び７０の夫々の凹部８０及び外部８２のアライメントによって、その大きさ及び数が異なっていてもよい。例えば、展開部材６９及び７０（図１７）の夫々の外部８２の軸方向のアライメントは、図１２及び１３の実施形態に記載されたものより、小さな間隔であってもよい。
【００６５】
凹部８０及び外部８２は、展開組立体２４であるいはその付近で、シート状材料の切れ、しわ、及び、つまりを低減あるいは最小化するのに助力すると考えられる。展開部材６９及び７０間のシート状材料の横幅寸法にそって、凹部８０に隣接した、あるいは、展開部材６９及び７０の下流の、シート状材料のいくつかの部分だけが、体積的に広がることができるであろう。展開部材６９及び７０間のスリット４０の全てが同時に拡張するのを防止することによって、および、単一スリット部４８のうちのいくつかの移動を遅らせることによって、シート状材料の切れ、関連するしわ、つまり、及び拘束の事象は低減され、制限される。この事象は、特に、開始時、あるいは、供給部１４から出力領域２８へシート状材料を最初に引き出す時に低減され得る。
【００６６】
さらに、展開部材６９及び７０間を通過するシート状材料上にかされたジグザグあるいは上下のパターンは、スリットのいくつかを生じさせ、スリットのいくつかを“ポップ”させ、展開部材６９及び７０を通過後より開かせる、と信じられている。“ポップ”は、通常又は厚さ方向の、紙の面から外への、展開していないスリットの移動を示してもよい。展開部材６９及び７０の構成は、展開部材の非凹状あるいは非解放の要素を使用した場合と比較して、シート状材料全体で、スリット４０のより均一の展開を提供する。
【００６７】
特に、凹部８０及び外部８２は、展開部材６９及び７０間のシート状材料の部分が体積的に間隔９０内に広がるのを許容する。結果として、展開部材６９及び７０の係合した部分、あるいは、ほぼ係合した部分間のシート状材料の他の部分は、一般的に縦方向あるいは横方向に広がっていてもよく、いかなる縦方向あるいは横方向の拡張を防止しつつ、堅く把持されてもよい。さらに、通常又は厚さ方向の拡張は、一般に、展開部材６９及び７０の係合したあるいはほぼ係合した部分間で防止される。隣接する展開部材６９及び７０の係合した又はほぼ係合した部分間で、シート状材料は、最も堅く把持され、それによって、一般に、シート状材料の面の外へ、単一スリット部分４８の回転を防止する。
【００６８】
図１９を参照すると、図１乃至１３の実施形態の変換機械１２は、さらに、１００で示すバイアス体を有し、このバイアス体は、展開部材６９及び７０のうちの少なくとも一方を、展開部材６９及び７０のうちの他方に向けて偏らせ、記載された実施形態においては、下バイアス部７０に対して上展開部材６９を偏らせる。一般的に、一対の対向する展開部材６９及び７０と、バイアス体１００は、対向する展開部材６９及び７０間で引き出されたシート状ストック材料１６上に、展開部材６９及び７０の対向する軸端で、等しい力、しかし、展開部材６９及び７０の軸端間に延びるシート状ストック材料１６の横幅を横切る不均一な力、を供給するように構成されている。
【００６９】
バイアス体１００が設定されると、上展開部材６９は、下展開部材７０に対して移動してもよく、シート状部材の異なる厚さやシート状部材のしわ部分を許容し、つまりや拘束を起こさずに、展開部材６９及び７０を通過させる。この配列によって、変換機械１２は、展開組立体２４から引き出されたシート状材料上に、一定の把持力を維持することができる。
【００７０】
バイアス体１００は、変換機械１２の対向する横側のそれぞれに、含まれているが、他の実施形態において、一つのバイアス体１００だけが含まれていてもよい。バイアス体１００は、フレーム側部２１及び、展開組立体２４に連結されている。図１１に示すように、カバー１０２は、各張力体１００を覆い、張力体１００の部分に移動し近付いて来る外部の物体の機会を低減してもよい。カバー１０２は、各フレーム側部２１に、スクリュー、ボルト、接着、切欠け、キーなどを介して、連結されてもよい。
【００７１】
記載されたバイアス体１００は、それぞれ、バイアス要素１０４を含み、上展開部材６９を、下展開部材７０に向けて偏らせる。スプリングなどのバイアス要素１０４は、各フレーム側部２１にねじ山で係合する、スクリューなどの調整部材１０６周りに配置されている。調整部材１０６は、カバー１０２内において、開口部１０７（図８）を介して、道具によって調整されてもよく、それにより、調整中にカバー１０２を除去する必要性を排除できる。
【００７２】
調整部材１０６は、端プレート１０８に連結され、端プレート１０８は、各フレーム側部２１に回転可能に連結され、上展開部材６９の対向する横端のうちの一方に連結されている。調整部材１０６の調整によって、各バイアス要素１０４の偏り力の調整が可能となる。特に、調整部材１０６の回転によって、バイアス要素１０６を圧縮あるいは伸長させ、それにより、展開組立体２４の把持力を変えることができる。
【００７３】
図４及び５を再度参照して、変換機械１２は、さらに、供給支持部２０の下流、および、展開組立体２４の上流に、配置されたアライメント部材１２０を有していてもよい。アライメント部材１２０は、横断ビーム１９として設けられてもよく、フレーム側部２１を支持し、あるいは、展開していないスリットシート状材料１６をロール３４から展開組立体２４まで案内し支持してもよい。アライメント部材１２０は、シート状材料を張った状態で維持すること、供給部１４から展開組立体２４に向けて引き出されるときにフレーム側部２１間でシート状材料のしわ、切れ、ミスアライメントを防止することを補助してもよい。アライメント部材１２０は、展開組立体２４でつまりを低減するのに役に立ってもよい。いくつかの実施形態において、アライメント部材１２０は、アライメント部材１２０の中心軸周りに回転可能な、ローラであってもよい。
【００７４】
アライメント部材１２０は、記載されるように、対向するフレーム側部２１間などで、フレーム２０に、回転可能に連結されなどのように、連結されている。アライメント部材１２０、あるいは、付加的又は代わりのアライメント部材は、供給支持部２２及び上流端６０間で、供給支持部２２の上流に配置されていてもよい、ことが認識されるであろう。他の実施形態において、いかなるアライメント部材も、いかなる適した形状を有していてもよい。
【００７５】
アライメント部材１２０が、展開組立体２４の上流で、展開していないスリットシート状材料１６を支持する場合、案内ローラ２６は、展開組立体２４の下流に配置され、展開した荷敷製品３０に類似の機能を提供する。展開していないシート状材料１６が展開組立体２４から引き出され、展開した荷敷製品３０に変換されるとき、案内ローラ２６は、案内ローラ２６が一般的に配置されている、出力領域２８であるいはその近傍で、荷敷製品３０を支持することを補助する。案内ローラ２６は、荷敷製品３０が案内ローラ２６下で引き出されるように、配置されている。その位置は、荷敷製品３０の張り状態を維持することを補助してもよく、ストック材料の幅を横切る引張を分配し、展開組立体２４から引き出されるときに、フレーム側部２１間の荷敷製品３０のしわ、切れ、あるいは、ミスアライメントを防止する。
【００７６】
案内ローラ２６は、記載されるように、対向するフレーム側部２１間などで、フレーム２０に、回転可能に連結されなどのように、連結されている。１またはそれ以上の案内ローラが含まれもよく、他の実施形態において、案内ローラ２６又は、付加的あるいは代わりの案内ローラが展開組立体２４の下流に設けられてもよい。案内ローラは、記載されているように、出力領域２８の下流の端６２に隣接するように、展開組立体２４の下流のいかなる適切な位置に配置されてもよい。案内ローラ２６は、いかなる適した形状であってもよく、記載されているように、円筒形でなくてもよい。いくつかの実施形態において、案内ローラ２６は、フレーム２０に対して、回転可能でなくてもよい。
【００７７】
案内ローラ２６は、展開組立体２４から、いかなる適切な間隔を空けて配置されてもよい。例えば、スリット４０の長さ、列、数、アライメント、あるいは、シート状材料１６の他の特性などによって、展開組立体２４と案内ローラ２６間の距離は、展開しているシート状材料に最適な張力を与え、シート状材料の最適な体積拡張を提供するように、調整されてもよい。フレーム２０は、案内ローラ２６を異なる位置でフレームに連結するための、取付穴などの代わりの位置を有していてもよい。他の実施形態において、案内ローラ２６は、フレーム２０内のスロットを介して、フレーム２０に沿って、スイライドして調整可能であってあってもよく、フレーム２０を連結するために、それぞれ案内ローラ２６の調整可能な連結部材であってもよい。
【００７８】
荷敷変換システム１０は、さらに、変換機械１２を含んでもよく、変換機械１２は、結果として生じる荷敷製品３０と荷敷製品３０によって保護される製品との間で分離シートとして使用される、分離シート材料１２６の分離供給部１２４と組み合わせて設けられる。一例の分離シート材料１２６は、ここで、インタリーフ紙として述べられ、スリットストック材料１６、プラスチック、その組合せなどよりも薄いなどの、ティッシュペーパ、クラフト紙であってよい。供給部１４のように、分離供給部１２４は、各供給支持部に受けられる中空芯周りに巻かれるように、ロール１２８として、設けられてもよい。付加的に、あるいは、代わりに、分離供給部１２４は、折畳み積重ねて設けれていてもよく、関連すつ供給支持部は、その積重ねを支持する棚を有していてもよい。したがって、分離供給支持部１３０は、対向するフレーム側部１２０に、切欠け１３２のようなくぼみに係合するためのように、フレーム２０に係合するために、設けられていてもよい。供給支持部１３２は、分離材料がローラ１２８から引き出されるときに、ローラ１２８の回転を許容するために、フレーム２０に、回転可能に連結されなどのように、連結されている。他の実施形態において、分離供給部１３０は、フレーム２０に固定して連結されていてもよく、分離供給部１２４は、分離供給支持部１３０周りに回転してもよい。
【００７９】
記載されているように、分離供給支持部１３０は、供給支持部２２の垂直上方かつ水平に配置されている。他の実施形態において、分離供給支持部１３０は、供給支持部２２の垂直平行で垂直下方に配置されていてもよい。付加的及び代わりに、いくつかの実施形態において、分離供給支持部１３０は、供給支持部２２の上流と水平及び平行、あるいは、水平に配置されていてもよい。
【００８０】
案内カラー１３４のような１又はそれ以上の案内部は、供給支持部２２に設けられ、分離供給支持部１３０に沿って、フレーム側部２１間で巻かれた分離供給部１２４の横向きのアライメントを維持してもよい。例えば、案内カラー１３４は、記載されているように、分離供給支持部１３０の周りに、ローラ１２８の対向する軸端の夫々に設けられていてもよい。他の実施形態において、付加的にあるいは代わりの案内部が、フレーム２０に取付けられ、あるいは、フレーム２０にと一体化されていてもよい。
【００８１】
記載された変換機械１２は、フレーム２０に回転可能に連結されるなどして連結された分離案内ローラ１４０を有し、分離案内ローラ１４０は、分離シート状材料１２６を機械変換１２の出力領域２８で案内する。分離シートは、細長く切られず広がらない。したがって、分離シートを、展開ローラ７０を通過させて送る必要がない。分離案内ローラ１４０は、分離シート状材料を、展開組立体を通過して案内する。示すように、案内ローラ１４０及び２６は、の中心軸は、相互に平行に配置されている。案内ローラ１４０及び２６が、展開した荷敷製品３０及び分離シート状材料１２６を、平行で重なった通路に持っていく間に、分離シート状材料１２６は、出力領域２８で、案内ローラ２６を介して、展開した荷敷製品３０から分離している。いくつかの実施形態において、案内ローラ１４０は、フレーム２０に対して回転しなくてもよい。要約すると、本発明は、フレーム２０と、展開可能なシート状ストック材料１６の供給部１４を支持するためにフレーム２０に連結された供給支持部２２と、各展開軸７２周りに回転するためにフレーム２０に回転可能に連結された一対の対向する展開部材６９及び７０と、を有する荷敷変換機械１２を提供する。展開可能なシート状ストック材料１６は、展開部材６９及び７０の間で引き出される間、展開部材６９及び７０間で把持される。展開部材６９及び７０の下流の引張力と、展開部材６９及び７０の把持力との間で供給された張力によって、展開可能なシート状ストック材料１６が展開する。展開部材６９及び７０の部分は、周期的に窪んでおり、展開可能なシート状ストック材料１６のより均一な展開をもたらし、展開部材６９及び７０間のシート状ストック材料１６を展開する際のつまり、あるいは、展開部材６９及び７０に隣接する展開しているシート状ストック材料１６の切れ、を低減又は防止する。
【００８２】
本発明は、荷敷変換システム１０を用いて、展開したスリットシート状ストック材料１６を分配する方法を提供する。荷敷変換システム１０は、フレーム２０と、フレーム２０に連結された供給支持部２２上で支持された展開可能なシート状ストック材料１４の供給部と、展開部材２４間を通過するシート状ストック材料１６を把持するために供給支持部２２の下流の一対の対向する展開部材２４と、を有している。方法は、（ａ）システム１０から外側方向へ、システム１０の出力２８に隣接する位置で、シート状ストック材料１６を引っ張るステップと、（ｂ）展開部材６９及び７０間で引き出されたシート状ストック材料１６上に一定の把持力を維持するステップと、（ｃ）出力２８での引張力と展開部材６９及び７０によってシート状ストック材料１６に印加された把持力との間の張力を介して、展開可能なシート状ストック材料１６を展開するステップと、を含む。
【図１】
0006625731.tif 000002
【図２】
0006625731.tif 000003
【図３】
0006625731.tif 000004
【図４】
0006625731.tif 000005
【図５】
0006625731.tif 000006
【図６】
0006625731.tif 000007
【図７】
0006625731.tif 000008
【図８】
0006625731.tif 000009
【図９】
0006625731.tif 000010
【図１０】
0006625731.tif 000011
【図１１】
0006625731.tif 000012
【図１２】
0006625731.tif 000013
【図１３】
0006625731.tif 000014
【図１４】
0006625731.tif 000015
【図１５】
0006625731.tif 000016
【図１６】
0006625731.tif 000017
【図１７】
0006625731.tif 000018
【図１８】
0006625731.tif 000019
【図１９】
0006625731.tif 000020